(57)【特許請求の範囲】
【請求項１】
第１の軸心上に同軸的に配置される第１回転軸および第２回転軸、ならびに前記第１の軸心とは異なる第２の軸心上に同軸的に配置される第３回転軸および第４回転軸を有する可動部と、
前記可動部を回動可能に支持する台座部と、
前記可動部の回動に連動してラッチレバーを揺動させるアームと、を備え、
前記可動部は、
前記台座部に係合された前記第１回転軸および前記第３回転軸を支点として第１の方向に回動可能であるとともに、前記台座部に係合された前記第２回転軸および前記第４回転軸を支点として第２の方向に回動可能であることを特徴とする、扉のハンドル装置。
【請求項２】
請求項１において、
前記可動部は、さらに、
前記台座部に係合された前記第１回転軸および前記第２回転軸を支点として前記第１の軸心周りに回動可能であるとともに、前記台座部に係合された前記第３回転軸および前記第４回転軸を支点として前記第２の軸心周りに回動可能であることを特徴とする、扉のハンドル装置。
【請求項３】
請求項１または２において、
前記可動部の前記第１の方向の回動による駆動力を前記アームに伝達する第１動力伝達部と、
前記可動部の前記第２の方向の回動による駆動力を前記アームに伝達する第２動力伝達部と、をさらに備え、
前記アーム、前記第１動力伝達部、および前記第２動力伝達部の少なくとも一部が、
前記可動部の内側空間内に収容されていることを特徴とする、扉のハンドル装置。
【請求項４】
請求項３において、
前記第１動力伝達部および前記第２動力伝達部は、さらに、
前記可動部の前記第１の軸心周りおよび前記第２の軸心周りの回動による駆動力を前記アームに伝達する部材であることを特徴とする、扉のハンドル装置。
【発明の詳細な説明】
【技術分野】
【０００１】
本発明は、操作性、使い勝手に優れた扉のハンドル装置に係り、殊にハンドルを上下左右いずれの側縁からでも手前に引くことで扉をスムーズに開閉できる扉のハンドル装置に関する。
【背景技術】
【０００２】
従来、扉のハンドル装置として、例えば特許文献１に記載された技術が知られている。この技術は、鉛直線回りに揺動するように配置したハンドルと、ハンドルの操作力を伝達する連係手段(操作力伝達機構)と、連係手段により作動する作用レバー(ラッチレバー)とを有する構成である。ハンドルを水平面内で手前に引いたり押したりしてハンドルを揺動させるとともに、これに応じて作用レバーを鉛直面内で揺動させる。これにより、作用レバーは鉛直面内で上下動し、錠前を駆動して扉が開閉されるようになっている。
【先行技術文献】
【特許文献】
【０００３】
【特許文献１】特開平１１−３００６２号公報
【発明の概要】
【発明が解決しようとする課題】
【０００４】
しかしながら、上記特許文献１記載の扉のハンドル装置にあっては、ハンドルを揺動する回転軸を一個しか有しないため、ハンドルを左右いずれの側縁を引いたり、押したりする、すなわち、両側縁いずれを引いたり、押したりしてハンドルを揺動することができない。このため、左利き、あるいは右利きいずれのユーザに対しても違和感なくハンドル操作を円滑に行うには操作フィーリングを悪くする問題があった。
【０００５】
本発明は、このような従来の問題点を解決するためになされたものであって、操作性および使い勝手に優れた扉のハンドル装置を提供することを目的とする。
【課題を解決するための手段】
【０００６】
本発明は、第１の軸心上に同軸的に配置される第１回転軸および第２回転軸、ならびに前記第１の軸心とは異なる第２の軸心上に同軸的に配置される第３回転軸および第４回転軸を有する可動部と、前記可動部を回動可能に支持する台座部と、前記可動部の回動に連動してラッチレバーを揺動させるアームと、を備え、前記可動部は、前記台座部に係合された前記第１回転軸および前記第３回転軸を支点として第１の方向に回動可能であるとともに、前記台座部に係合された前記第２回転軸および前記第４回転軸を支点として第２の方向に回動可能であることを特徴とする、扉のハンドル装置である。
【発明の効果】
【０００７】
本発明に係る扉のハンドル装置によれば、左利き、右利きいずれのユーザにも容易に開閉操作ができ、ユーザの利便性を高めることができる。
【図面の簡単な説明】
【０００８】
【図１】本発明の実施形態１に係る扉のハンドル装置の組み立ての概要を説明する組み立て外観図である。
【図２】同じく、扉のハンドル装置の作用を説明する作用説明図である。
【図３】同じく、扉のハンドル装置の一部を断面で示した要部拡大正面図である。
【図４】同じく、一部を断面で示した図３の左側面図である。
【図５】同じく、ユニットベースの三面図である。
【図６】同じく、ユニットプレートの三面図である。
【図７】同じく、アームの三面図である。
【図８】同じく、ラッチレバーの三面図である。
【図９】本発明の実施形態２に係る扉のハンドル装置の組み立ての概要を説明する組み立て外観図である。
【図１０】（ａ）ハンドル取付座が通常位置にある場合の外観斜視図である。（ｂ）、（ｃ）通常位置におけるハンドル装置の内部構造を示す側断面図である。（ｄ）通常位置におけるハンドル装置の上面の一部を拡大して示す部分拡大図である。
【図１１】（ａ）ハンドル取付座の上側縁を手前に引いた場合（ハンドル上引き時）の外観斜視図である。（ｂ）、（ｃ）ハンドル上引き時におけるハンドル装置の内部構造を示す側断面図である。（ｄ）ハンドル上引き時におけるハンドル装置の上面の一部を拡大して示す部分拡大図である。
【図１２】（ａ）ハンドル取付座の下側縁を手前に引いた場合（ハンドル下引き時）の外観斜視図である。（ｂ）、（ｃ）ハンドル下引き時におけるハンドル装置の内部構造を示す側断面図である。（ｄ）ハンドル下引き時におけるハンドル装置の下面の一部を拡大して示す部分拡大図である。
【図１３】（ａ）ハンドル取付座の右側縁を手前に引いた場合（ハンドル右引き時）の外観斜視図である。（ｂ）、（ｃ）ハンドル右引き時におけるハンドル装置の内部構造を示す側断面図である。（ｄ）ハンドル右引き時におけるハンドル装置の上面の一部を拡大して示す部分拡大図である。
【発明を実施するための形態】
【０００９】
＜実施形態１＞
以下、図面を用いて、本発明の実施形態１に係るハンドル装置について詳細に説明する。
【００１０】
図１は実施形態１に係るハンドル装置の組み立ての概要を説明する組み立て外観図、図２は実施形態１に係るハンドル装置の作用を説明する作用説明図、図３は実施形態１に係るハンドル装置の一部を断面で示した要部拡大正面図、図４は一部を断面で示した図３の左側面図である。
【００１１】
＜ハンドル装置の概要＞
扉のハンドル装置の各構成要素を詳細に説明する前に、構成の概要と、作動の概要を説明する。図１に示すように、扉のハンドル装置の主要な構成要素は、扉１に固定される台座部２と、台座部２に設けられるアーム３およびラッチレバー４等で成る後述される操作力伝達機構５と、台座部２に対して第１回転軸６または第２回転軸７を中心にして鉛直線回りに揺動することで操作されるハンドル８である。
【００１２】
上記アーム３は額縁形状を成し、台座部２に軸支される旋回軸３ａと、ハンドル８の操作力が作用する係合軸３ｂとを備える。ハンドル８が操作されてハンドル８が第１回転軸６または第２回転軸７を軸心として回動することで、アーム３は旋回軸３ａを中心に鉛直線回りに揺動するようになっている。
【００１３】
ロの字形状のアーム３の内側空間内には、ラッチレバー４が配置される。このラッチレバー４は台座部２に水平方向に取り付けたラッチレバー軸４ｄにフリーな状態で軸支される。これにより、ラッチレバー４はアーム３に干渉することなく、ラッチレバー軸４ｄを中心にして上下に（鉛直面内に）揺動するようになっている。
【００１４】
図１（ｂ）に示すように、アーム３およびラッチレバー４により操作力伝達機構５の主要部が形成される。台座部２に操作力伝達機構５を組み込み、組み込んだその外側にハンドル８をカバーするようにして装着することにより、本実施形態に係る扉のハンドル装置が形成される。これにより、ハンドル８は第１回転軸６または第２回転軸７を中心にして交互に扉１から浮き上がるように揺動（第１回転軸６または第２回転軸７を軸心として回動）されることで、扉１の開閉操作が行われる（詳細は後述する）。
【００１５】
ハンドルの開閉操作を行わない場合は、ハンドル８は図２(ａ)に示す状態にあるが、ハンドルの一方の側縁(左側縁)を、同図(ｃ)の矢印で示す方向、すなわち扉１から離反するように手前に引くと、第２回転軸７を中心にしてハンドル８は回動（開作動）する。一方、同図(ｅ)の矢印で示す方向に、他方の側縁(右側縁)を手前に引くと、第１回転軸６を中心にハンドル８は回動（開作動）する。開作動状態にあるハンドル８を引く力を弱めるか、あるいは手を離すなどしてハンドル８に対する開閉操作力を除荷すると、図２（ｃ）や同図（ｅ）の状態にあるハンドル８は、後述する操作力伝達機構５の一構成要素であるバネ部材の復元力(バネ付勢力)により、図２(ａ)に示される状態に復帰する。以下、上記の各構成要素の詳細を順次説明していく。
【００１６】
＜台座部＞
台座部２は、図５（ｃ）に示すコ字型断面を基本形態とするユニットベース１０と、図６（ｂ）、同図（ｃ）に示されるコ字型断面を基本形態とするユニットプレート１１とのパーツからなる。図３、図４に示すように両パーツ１０，１１を互いに拝み合わせるように対向させて組み立てられる。
【００１７】
両部材１０，１１をより具体的に説明する。ユニットベース１０はその背面部１０ａにおける上下に、ユニットプレート１１側へ直角に屈曲するフランジ部１０ｂが設けられる。上下方両フランジ部１０ｂには、湾曲する案内溝１０ｃが左右対称に形成され、案内溝１０ｃにより第１回転軸６および第２回転軸７が案内され、両回転軸６，７の揺動を円滑に行われるようにしている。背面部１０ａにはユニットベース１０にユニットプレート１１を取り付けるための二個のビス穴１０ｄが形成される。
【００１８】
ユニットプレート１１は上下寸法がユニットベース１０よりも小さく、組み立て時にはユニットベース１０の内側に受容されるようになっている。すなわち、ユニットプレート１１は、表面部１１ａと、表面部１１ａの上下端から直角に伸びる上方フランジ部１１ｂおよび下方フランジ部１１ｃと、表面部１１ａの左右両側から扉１方向へＬ型に屈曲して延びる左方脚部１１ｄと、同じく片状に屈曲する右方脚部１１ｅとを有する。
【００１９】
上方フランジ部１１ｂには、アーム３に設けたピン状の係合軸３ｂの揺動を許容するＵ字状の切欠溝１１ｆが設けられる。上下方両フランジ部１１ｂ、１１ｃに、後述するアーム３の旋回軸３ａを枢支する軸穴１１ｈが形成される。左右両脚部１１ｄ，１１ｅには後述するラッチレバー軸４ｄを扉１の取付面に平行で、かつ水平に支持する支持穴１１ｆ、１１ｇが形成されている。
【００２０】
左方脚部１１ｄの突部１１ｄ１(図６(ｂ)参照)は、ユニットベース１０の背面部１０ａに形成した係合凹部１０ａ１に、また、右方脚部１１ｅの突部１１ｅ１(図６(ｃ)参照)は、ユニットベース１０ａに形成した係合穴１０ａ２にそれぞれ係合することで、ユニットプレート１１をユニットベース１０に位置決めできるようになっている。
【００２１】
また、表面部１１ａおよび左方脚部１１ｄには、上記のビス穴１０ｄ(図５(ａ)参照)に対応する位置に二個のビス穴１１ｉが設けられる。これらビス穴１０ｄ、１１ｉに不図示のビスを通して扉１にねじ込むことにより、台座部２としてのユニットベース１０およびユニットプレート１１が合体された状態で扉１に締結されることとなる。
【００２２】
図３，図４に示すように、扉１に台座部２が締結されると、ユニットベース１０の上方フランジ部１０ｂとユニットプレート１１の上方フランジ部１１ｂとの間にハンドルの上取付座８ｂがはまり込む隙間が形成される。同様に、ユニットベース１０の下方フランジ部１０ｂとユニットプレート１１の下方フランジ部１１ｃとの間にハンドルの下取付座８ｃがはまり込む隙間が形成される。
【００２３】
一方、ユニットベース１０の上方フランジ部１０ｂにおける上面および下方フランジ部１０ｂにおける下面には、図３，図４で示されるように、扉１にスタットボルト１３で締結された断面Ｌ型の上方ガイドプレート１２および下方ガイドプレート１２が当接するように設けられる。これにより、ユニットベース１０は上下両方からガイドプレート１２で挟持されるようにして位置決め支持される。
【００２４】
上取付座８ｂおよび下取付座８ｃには、第１回転軸６および第２回転軸７が突設され、上方フランジ部１０ｂおよび下方フランジ部１０ｂに形成した案内溝１０ｃに遊挿される(図１(ｃ)参照)。
【００２５】
また、アーム３に設けた図１（ａ）のボス３ｈは図６（ｄ）の切欠溝１１ｆに遊挿され、アーム３の揺動がユニットプレート１１に拘束されないようにしている。上記ボス３ｈには図１（ｂ）のように係合軸３ｂが嵌め込まれ、上取付座８ｂの係合穴８ｇに係合する。これにより、ハンドル８の荷重はボス３ｈを介してアーム３で支持される（図３参照）。こうして、ハンドル８を開閉操作するとき、その操作力は操作力伝達機構５の係合軸３ｂを介してアーム３に伝達されるようになっている。
【００２６】
＜アーム＞
アーム３は、図１(ａ)，図７に示すように旋回軸３ａ側の鉛直基部３ｃと、該鉛直基部３ｃの上下端から略水平方向に対向して伸びる上下方両水平アーム部３ｄ，３ｅと、該両水平アーム部３ｄ，３ｅの自由端で鉛直に連結される鉛直アーム部３ｆとにより額縁形状に形成されている。アーム３で仕切られた空間Ｓにラッチレバー軸４ｄ、ラッチレバー４、およびコイルスプリング４ｅ等の操作力伝達機構５の要素が配置されるようになっている。
【００２７】
鉛直基部３ｃには軸穴３ｇが穿たれ、そこに旋回軸３ａが貫通して設けられる。旋回軸３ａの上下両端は台座部２のユニットプレート１１に形成した軸穴１１ｈに支承される。これにより、アーム３は旋回軸３ａを中心にして鉛直線回りに揺動できる。
【００２８】
上方水平アーム部３ｄにはボス３ｈが設けられ、そこに係合軸３ｂが嵌め込まれる。係合軸３ｂはハンドル８の上取付座８ｂに設けた係合穴８ｇに入り込んでいる。係合軸３ｂは第１、第２両回転軸６，７のほぼ中間に存する。こうして、係合軸３ｂと係合穴８ｇとで係合手段が構成される。これにより、ハンドル８を左右いずれかの方向に揺動操作すると、これに連動して係合軸３ｂを介してハンドルの操作力がアーム３に伝達される。これにより、アーム３は旋回軸３ａを中心にしてハンドルに引きつけられて鉛直線回りに揺動するようになっている。
【００２９】
下方水平アーム部３ｅにはアーム３自体の揺動を円滑ならしめる末広がり状の凹溝３ｉと、後述するコイルスプリング４ｅの他端を係止せしめる突起状の係止部３ｊとが形成される。上記凹溝３ｉにラッチレバー４に設けた後述のカム４ｇがカム係合（接触）するようになっている。
【００３０】
＜ラッチレバー＞
図１(ａ)、図３，図４および図８において、ラッチレバー４は、切欠部４ｆが形成されたラッチ基部４ａと、該ラッチ基部４ａからハンドル８方向へ屈曲する長脚４ｂおよび短脚４ｃとを有する。短脚４ｃの下方には上記の凹溝３ｉにカム係合する曲面状をなすカム４ｇが形成される。このカム４ｇと上記凹溝３ｉとでカム機構が構成される。
【００３１】
長脚４ｂは不図示の錠箱を施解錠する機能を有するラッチレバー部として形成される。両脚４ｂ、４ｃに設けた一対の穴部４ｈ間には水平方向に配したラッチレバー軸４ｄが貫通される。ラッチレバー軸４ｄはその両端をユニットプレート１１の支持穴１１ｆ、１１ｇに挿通し、ラッチレバー軸４ｄが水平に支持されるようになっている。これにより、ラッチレバー４はラッチレバー軸４ｄに対してフリーな状態で揺動できる。
【００３２】
また、両脚４ｂ、４ｃの間のラッチレバー軸４ｄには、バネ部材としてのトーションスプリング（以下において、「コイルスプリング」という）４ｅが巻装される。コイルスプリング４ｅの一端はユニットプレート１１の表面部１１ａに穿った固定系である係止孔１１ｊに係止される。コイルスプリング４ｅの他端は図４に示すように切欠部４ｆをくぐり抜けて下方水平アーム部３ｅの係止部３ｊに係止される。
【００３３】
これにより、アーム３には常時コイルスプリング４ｅのバネ力が付勢される。このバネ力はアーム３を介してハンドル８を閉方向に揺動せしめる力として作用する。他方、ラッチレバー４は、コイルスプリング４ｅとは無関係に、かつ、ラッチレバー軸４ｄに対してフリーな状態で支持される。そのため、ラッチレバー４は図４においてラッチレバー軸４ｄを中心に反時計回りの方向へ偏倚する状態となる。
【００３４】
こうして、アーム３と、係合手段３ｂ、８ｇと、ラッチレバー４と、ラッチレバー軸４ｄと、コイルスプリング４ｅと、カム機構３ｉ、４ｇとで操作力伝達機構５が形成され、係る操作力伝達機構５を備えた扉のハンドル装置が構成されることとなる。
【００３５】
＜ハンドル装置の動作＞
次に、本実施形態１に係る扉のハンドル装置の動作を主として図２に基づいて説明する。なお、図２(ａ)、(ｃ)および(ｅ)には回転軸６，７の動きが理解し易いようにガイドプレート１２の図示を割愛した。同様に、図２(ｂ)、(ｄ)および(ｆ)には複雑化を避けるため、コイルスプリング４ｅ、ユニットベース１０やユニットプレート１１の図示を省略し、かつ、ラッチレバー４を透視できるように示した。
【００３６】
ハンドル８を操作しない場合には、ラッチレバー４に対するアーム３の位置は図２(ｂ)に示す状態、すなわち、図４に示される状態にある。換言すると、コイルスプリング４ｅのバネ反力は係止部３ｊを介してアーム３に作用し、アーム３を扉１側へ引き寄せている。
【００３７】
アーム３が扉側へ引き寄せられることにより、バネ反力はさらに係合軸３ｂを介してハンドル８に伝達される。そのため、ハンドル８は図２(ａ)に示すように扉１側へ引き寄せられる。すなわち、第１、第２回転軸６，７は共に案内溝１０ｃの扉１に近い奥まった位置で停留する状態に保持されることとなる。
【００３８】
ここで、図２(ｃ)のようにハンドル８の左側縁をコイルスプリング４ｅのバネ反力に抗して矢印で示す手前(扉１から遠ざける方向)に引くと、第２回転軸７は案内溝１０ｃの奥まった位置に留まる一方で、第１回転軸６だけが案内溝１０ｃに沿って手前に移動する。これに連動して係合軸３ｂにハンドル操作力が伝達され、アーム３は旋回軸３ａを中心にしてハンドルの開き角度に応じた角度だけ鉛直線回りに揺動する。これにより、凹溝３ｉ（図１、図２（ｂ）参照）にカム係合するカム４ｇに操作力が伝えられ、ラッチレバー４は、図２(ｄ)に示すように、ラッチレバー軸４ｄの回りを下向きにおじぎをするように揺動する。すなわち、ラッチレバー４は図４においてラッチレバー軸４ｄを中心にして反時計回りに揺動する。このため、ラッチレバー４，すなわちラッチレバー部４ｂにより不図示の錠箱が施解錠され、扉１を開閉することができる。そして、この状態からハンドルを離して操作力を除荷すると、ハンドル８はコイルスプリング４ｅの復元力により図２(ａ)に示す状態に復帰する。
【００３９】
また、図２(ｅ)のようにハンドル８の右側縁をコイルスプリング４ｅのバネ反力に抗して矢印で示す手前(扉１から遠ざける方向)に引くと、第１回転軸６は案内溝１０ｃの奥まった位置に留まる一方で、第２回転軸７だけが案内溝１０ｃに沿って手前に移動する。すると、上記のハンドル左側縁を手前に引いた場合と同様に、アーム３は図２（ｆ）に示すように、コイルスプリング４ｅのバネ力に抗して揺動する。これにより、凹溝３ｉにカム係合するカム４ｇに操作力が伝えられ、ラッチレバー４，すなわちラッチレバー部４ｂはラッチレバー軸４ｄを中心に下方へ揺動する。その結果、第１回転軸６を中心にしてハンドルを手前に引くことで、扉１を開閉操作できるようになる。この状態でハンドル８から手を離して操作力を除荷すると、ハンドル８はコイルスプリング４ｅのバネ復元力により図２(ａ)の状態に復帰する。
【００４０】
本実施形態１に係るハンドル装置によれば、ハンドル８の両側縁部のいずれかの側を手前に引いて操作することで、右利きまたは左利き、いずれの人でも、簡単に扉１を開閉することができ、両引き操作の可能な使い勝手のよい扉のハンドル装置を得ることができる。
【００４１】
＜実施形態２＞
次に、図面を用いて、本発明の実施形態２に係るハンドル装置について詳細に説明する。図９は実施形態２に係るハンドル装置の組み立ての概要を説明する組み立て外観図である。
【００４２】
実施形態２に係るハンドル装置は、上記実施形態１に係るアーム３に相当するアーム２３と、上記実施形態１に係るラッチレバー４に相当するラッチレバー２４と、上記実施形態１に係るハンドル８の一部に相当するハンドル取付座１８と、上記実施形態１に係る台座部２に相当する台座部２２（図１０〜図１３参照）と、を有して構成されている。なお、実施形態２に係るハンドル装置を構成する他の部材については、上記実施形態１に係るハンドル装置と同一または類似であるため、その説明と図示は省略する。
【００４３】
＜アーム＞
アーム２３の上方には上部ボス２３ｈが設けられ、そこに棒状の上部係合軸２３ｂが嵌め込まれる。この上部係合軸２３ｂは、ハンドル取付座１８の上取付座１８ｂに設けた長穴形状の上部係合穴１８ｇに係合される。すなわち、棒状の上部係合軸２３ｂは、長穴形状の上部係合穴１８ｇの長手方向に沿ってスライド可能に構成されている。
【００４４】
一方、アーム２３の下方には下部ボス２３ｋが設けられ、そこに棒状の下部係合軸２３ｍが嵌め込まれる。この下部係合軸２３ｍは、ハンドル取付座１８の下取付座１８ｄに設けた長穴形状の下部係合穴１８ｈに係合される。すなわち、棒状の下部係合軸２３ｍは、長穴形状の下部係合穴１８ｈの長手方向に沿ってスライド可能に構成されている。
【００４５】
このような構造により、ハンドル取付座１８を上下左右いずれかの方向に揺動操作すると、これに連動して上部係合軸２３ｂまたは／および下部係合軸２３ｍを介してハンドル取付座１８の操作力がアーム２３に伝達され、アーム２３が回動される（詳細は後述する）。
【００４６】
さらに、アーム２３の下方（下部ボス２３ｋの上側）には、ラッチレバー２４のカム２４ｇとカム係合（接触）する凹溝２３ｉが形成されており、ハンドル取付座１８の操作力によりアーム２３が回動されると、ラッチレバー２４のカム２４ｇがアーム２３によって押され、ラッチレバー軸２４ｄを中心にして上下に（鉛直面内に）揺動するようになっている。
【００４７】
＜ハンドル取付座＞
ハンドル取付座１８は、各種のハンドル（取っ手）を取り付けるための部材であり、本実施形態では別体のハンドルを、このハンドル取付座１８に取り付ける構造としているが、ハンドルとハンドル取付座を一体にしてもよい。ハンドル取付座１８の上取付座１８ｂには、棒状の第１回転軸１６ａおよび第３回転軸１６ｃを嵌め込むための２つの軸孔が一定の間隔を空けて形成されている。また、下取付座１８ｄには、棒状の第２回転軸１６ｂおよび第４回転軸１６ｄを嵌め込むための２つの軸孔が一定の間隔を空けて形成されている。なお、第１回転軸１６ａおよび第２回転軸１６ｂは略同一の軸心上に同軸的に配置され、第３回転軸１６ｃおよび第４回転軸１６ｄは略同一の軸心上に同軸的に配置され、第１回転軸１６ａおよび第２回転軸１６ｂの軸心と、第３回転軸１６ｃおよび第４回転軸１６ｄの軸心は、略平行な位置関係とされている。すなわち、第１回転軸１６ａと第３回転軸１６ｃとの間の距離と、第２回転軸１６ｂと第４回転軸１６ｄとの間の距離は、略同一とされている。
【００４８】
また、上取付座１８ｂにおける２つの軸孔の中間位置に上部係合穴１８ｇが形成され、そこにアーム２３の上部係合軸２３ｂが係合される。また、下取付座１８ｄにおける２つの軸孔の中間位置に下部係合穴１８ｈが形成され、そこにアーム２３の下部係合軸２３ｍが係合される。なお、本実施形態では、図９（ａ）に示すように、アーム２３と、上部係合軸２３ｂと、下部係合軸２３ｍが、ハンドル取付座１８が有する内側空間内、または、ハンドル取付座１８に形成した上部係合穴１８ｇおよび下部係合穴１８ｈに収容されるように構成し、ハンドル装置全体の小型化を図っている。
【００４９】
＜台座部＞
図１０に示す台座部２２は、上記実施形態１に係る台座部２と略同形状であるが、同図（ｄ）に示すように、上下のフランジ部に形成された案内溝２２ｃを湾曲形状ではなく、四隅に丸みを持たせた長方形形状とし、４つの第１〜第４回転軸１６ａ〜１６ｄを略直線的に案内する形状とされている点が異なっている。
【００５０】
＜ハンドル装置の動作＞
次に、図１０〜図１３を用いて、本実施形態２に係るハンドル装置の動作について説明する。
【００５１】
図１０（ａ）はハンドル取付座１８が通常位置にある場合の外観斜視図であり、同図（ｂ）、（ｃ）は通常位置におけるハンドル装置の内部構造を示す側断面図であり、同図（ｄ）は通常位置におけるハンドル装置の上面の一部を拡大して示す部分拡大図である。
【００５２】
ハンドル取付座１８を操作しない場合（ハンドル取付座１８に固定されるハンドル（取っ手）を操作しない場合）には、ラッチレバー２４に対するアーム２３の位置は図１０(ａ)〜（ｄ）に示す状態にある。換言すると、上述のコイルスプリング４ｅのバネ反力がアーム２３に作用し、アーム２３を台座部２２側へ引き寄せている。
【００５３】
図１１（ａ）はハンドル取付座１８の上側縁を手前に引いた場合（ハンドル上引き時）の外観斜視図であり、同図（ｂ）、（ｃ）はハンドル上引き時におけるハンドル装置の内部構造を示す側断面図であり、同図（ｄ）はハンドル上引き時におけるハンドル装置の上面の一部を拡大して示す部分拡大図である。
【００５４】
図１０に示す通常位置において、図１１のようにハンドル取付座１８の上側縁をコイルスプリング４ｅのバネ反力に抗して矢印で示す手前(扉から遠ざける方向)に引くと、下取付座１８ｄに配設された第２回転軸１６ｂおよび第４回転軸１６ｄと台座部２２との係合部分（第２回転軸１６ｂおよび第４回転軸１６ｄの外周面と、台座部２２の案内溝２２ｃの内面との接触部分）を支点としてハンドル取付座１８が手前方向（同図の矢印で示す方向）に回動（傾斜）し、上取付座１８ｂに配設された第１回転軸１６ａおよび第３回転軸１６ｃが台座部２２の上側の案内溝２２ｃに沿ってまっすぐ手前方向に移動する。
【００５５】
これに連動して上部係合軸２３ｂにハンドル操作力が伝達され、アーム２３はハンドルの回動（傾斜）に応じた角度だけ鉛直線回りに揺動する。これにより、凹溝２３ｉにカム係合するカム２４ｇに操作力が伝えられ、ラッチレバー４は、図１１(ｂ)、（ｃ）に示すように、ラッチレバー軸２４ｄの回りを下向きにおじぎをするように揺動する。すなわち、ラッチレバー２４は図１１においてラッチレバー軸２４ｄを中心にして時計回りに揺動する。このため、ラッチレバー２４により不図示の錠箱が施解錠され、扉を開閉することができる。そして、この状態からハンドル取付座１８を離して操作力を除荷すると、ハンドル取付座１８はコイルスプリング４ｅの復元力により図１０に示す状態に復帰する。
【００５６】
図１２（ａ）はハンドル取付座１８の下側縁を手前に引いた場合（ハンドル下引き時）の外観斜視図であり、同図（ｂ）、（ｃ）はハンドル下引き時におけるハンドル装置の内部構造を示す側断面図であり、同図（ｄ）はハンドル下引き時におけるハンドル装置の下面の一部を拡大して示す部分拡大図である。
【００５７】
図１０に示す通常位置において、図１２のようにハンドル取付座１８の下側縁をコイルスプリング４ｅのバネ反力に抗して矢印で示す手前(扉から遠ざける方向)に引くと、上取付座１８ｂに配設された第１回転軸１６ａおよび第３回転軸１６ｃと台座部２２との係合部分（第１回転軸１６ａおよび第３回転軸１６ｃの外周面と、台座部２２の案内溝２２ｃの内面との接触部分）を支点としてハンドル取付座１８が手前方向（同図の矢印で示す方向）に回動（傾斜）し、下取付座１８ｄに配設された第２回転軸１６ｂおよび第４回転軸１６ｄが台座部２２の下側の案内溝２２ｃに沿ってまっすぐ手前に移動する。
【００５８】
これに連動して下部係合軸２３ｍにハンドル操作力が伝達され、アーム２３はハンドルの回動（傾斜）に応じた角度だけ鉛直線回りに揺動する。これにより、凹溝２３ｉにカム係合するカム２４ｇに操作力が伝えられ、ラッチレバー２４は、図１２(ｂ)、（ｃ）に示すように、ラッチレバー軸２４ｄの回りを下向きにおじぎをするように揺動する。すなわち、ラッチレバー２４は図１２(ｂ)、（ｃ）においてラッチレバー軸２４ｄを中心にして時計回りに揺動する。このため、ラッチレバー２４により不図示の錠箱が施解錠され、扉を開閉することができる。そして、この状態からハンドル取付座１８を離して操作力を除荷すると、ハンドル取付座１８はコイルスプリング４ｅの復元力により図１０に示す状態に復帰する。
【００５９】
図１３（ａ）はハンドル取付座１８の右側縁を手前に引いた場合（ハンドル右引き時）の外観斜視図であり、同図（ｂ）、（ｃ）はハンドル右引き時におけるハンドル装置の内部構造を示す側断面図であり、同図（ｄ）はハンドル右引き時におけるハンドル装置の上面の一部を拡大して示す部分拡大図である。
【００６０】
図１０に示す通常位置において、図１３のようにハンドル取付座１８の右側縁をコイルスプリング４ｅのバネ反力に抗して矢印で示す手前(扉から遠ざける方向)に引くと、上取付座１８ｂに配設された第１回転軸１６ａおよび下取付座１８ｄに配設された第２回転軸１６ｂは案内溝２２ｃの奥まった位置（第１回転軸１６ａおよび第２回転軸１６ｂの外径よりも僅かに大きい内径を有する位置）に留まる一方で、上取付座１８ｂに配設された第３回転軸１６ｃおよび下取付座１８ｄに配設された第４回転軸１６ｄが案内溝２２ｃに沿って円弧軌道を描きながら手前に移動する。
【００６１】
これに連動して上部係合部２３ｂおよび下部係合軸２３ｍにハンドル操作力が伝達され、アーム２３はハンドルの回動（傾斜）に応じた角度だけ鉛直線回りに揺動する。これにより、凹溝２３ｉにカム係合するカム２４ｇに操作力が伝えられ、ラッチレバー２４は、図１３(ｂ)、（ｃ）に示すように、ラッチレバー軸２４ｄの回りを下向きにおじぎをするように揺動する。すなわち、ラッチレバー２４は図１３(ｂ)、（ｃ）においてラッチレバー軸２４ｄを中心にして時計回りに揺動する。このため、ラッチレバー２４により不図示の錠箱が施解錠され、扉を開閉することができる。そして、この状態からハンドル取付座１８を離して操作力を除荷すると、ハンドル取付座１８はコイルスプリング４ｅの復元力により図１０に示す状態に復帰する。
【００６２】
また、図示は省略するが、図１０に示す通常位置において、ハンドル取付座１８の左側縁をコイルスプリング４ｅのバネ反力に抗して手前(扉から遠ざける方向)に引くと、上取付座１８ｂに配設された第３回転軸１６ｃおよび下取付座１８ｄに配設された第４回転軸１６ｄは案内溝２２ｃの奥まった位置（第３回転軸１６ｃおよび第４回転軸１６ｄの外径よりも僅かに大きい内径を有する位置）に留まる一方で、上取付座１８ｂに配設された第１回転軸１６ａおよび下取付座１８ｄに配設された第２回転軸１６ｂが案内溝２２ｃに沿って円弧軌道を描きながら手前に移動する。
【００６３】
これに連動して上部係合部２３ｂおよび下部係合軸２３ｍにハンドル操作力が伝達され、アーム２３はハンドルの回動（傾斜）に応じた角度だけ鉛直線回りに揺動する。これにより、凹溝２３ｉにカム係合するカム２４ｇに操作力が伝えられ、ラッチレバー２４は、ラッチレバー軸２４ｄの回りを下向きにおじぎをするように揺動する。このため、ラッチレバー２４により不図示の錠箱が施解錠され、扉を開閉することができる。そして、この状態からハンドル取付座１８を離して操作力を除荷すると、ハンドル取付座１８はコイルスプリング４ｅの復元力により図１０に示す状態に復帰する。
【００６４】
以上説明したように、上記実施形態２に係るハンドル装置は、第１の軸心上に同軸的に配置される第１回転軸（例えば、第１回転軸１６ａ）および第２回転軸（例えば、第２回転軸１６ｂ）、ならびに前記第１の軸心とは異なる第２の軸心上に同軸的に配置される第３回転軸（例えば、第３回転軸１６ｃ）および第４回転軸（例えば、第１回転軸１６ｄ）を有する可動部（例えば、ハンドル取付座１８）と、前記可動部を回動可能に支持する台座部（例えば、台座部２２）と、前記可動部の回動に連動してラッチレバー（例えば、ラッチレバー２４）を揺動させるアーム（例えば、アーム２３）と、を備え、前記可動部は、前記台座部に係合された前記第１回転軸および前記第３回転軸を支点として第１の方向（例えば、図１２（ａ）〜（ｃ）に示す矢印の方向：下引き）に回動可能であるとともに、前記台座部に係合された前記第２回転軸および前記第４回転軸を支点として第２の方向（例えば、図１１（ａ）〜（ｃ）に示す矢印の方向：上引き）に回動可能であることを特徴とする、扉のハンドル装置である。
【００６５】
上記実施形態２に係るハンドル装置によれば、可動部を２つの方向のいずれかの方向に回動（傾斜）させることによって錠前の施開錠操作を行うことができ、ハンドル装置の利便性を向上させることができる。また、２つの回転軸を支点として可動部を回動させることができるため、可動部を安定的に回動させることが可能で、ハンドル装置の操作性を向上させることができる。
【００６６】
また、前記可動部は、さらに、前記台座部に係合された前記第１回転軸（例えば、第１回転軸１６ａ）および前記第２回転軸（例えば、第２回転軸１６ｂ）を支点として前記第１の軸心周り（例えば、第１回転軸１６ａおよび第２回転軸１６ｂの軸心周り）に回動可能であるとともに、前記台座部に係合された前記第３回転軸（例えば、第３回転軸１６ｃ）および前記第４回転軸（例えば、第１回転軸１６ｄ）を支点として前記第２の軸心周り（例えば、第３回転軸１６ｃおよび第４回転軸１６ｄの軸心周り）に回動可能であってもよい。
【００６７】
このような構成とすれば、可動部を４つの方向（例えば、上下左右）のいずれかの方向に回動させることによって錠前の施開錠操作を行うことができ、ハンドル装置の利便性をさらに高めることができる。
【００６８】
また、前記可動部の前記第１の方向の回動による駆動力を前記アームに伝達する第１動力伝達部（例えば、上部係合軸２３ｂ）と、前記可動部の前記第２の方向の回動による駆動力を前記アームに伝達する第２動力伝達部（例えば、下部係合軸２３ｍ）と、をさらに備え、前記アーム、前記第１動力伝達部、および前記第２動力伝達部の少なくとも一部が、前記可動部の内側空間内に収容されていてもよい。
【００６９】
このような構成とすれば、ハンドル装置の小型化を図ることができる上に、ハンドル操作によって可動する部材を可動部の内部に収容することが可能となるため、ハンドル操作時の安全性を高めることができる。
【００７０】
また、前記第１動力伝達部および前記第２動力伝達部は、さらに、前記可動部の前記第１の軸心周りおよび前記第２の軸心周りの回動による駆動力を前記アームに伝達する部材であってもよい。
【００７１】
このような構成とすれば、可動部の４方向の動き（操作力）を最小限の部材で他の部材に伝達することができ、ハンドル装置の小型化、低コスト化を実現することができる。
【００７２】
本発明に係るハンドル装置の構成は、上記実施形態１、２に係るハンドル装置の構成に限られるものではなく、その趣旨及び技術思想を逸脱しない範囲で種々の変形が可能である。
【００７３】
従って、例えば、上記実施形態１に係るハンドル装置の部材と、上記実施形態２に係るハンドル装置の部材を互いに組み合わせたハンドル装置としてもよい。また、ラッチレバーを鉛直方向に揺動させる例を示したが、水平方向に揺動させてもよい。
【産業上の利用可能性】
【００７４】
本発明は、扉のハンドルを左右または上下いずれかの側縁を手前に引いても扉を開閉操作しうる扉のハンドル装置に利用される。
【符号の説明】
【００７５】
１  扉
２  台座部
３  アーム
３ａ  旋回軸
３ｂ  係合軸
３ｃ  鉛直基部
３ｄ  上方水平アーム部
３ｈ  ボス
３ｆ  鉛直アーム部
３ｅ  下方水平アーム部
３ｉ  凹溝
３ｊ  係止部
４  ラッチレバー
４ｂ  長脚（ラッチレバー部）
４ｄ  ラッチレバー軸
４ｅ  コイルスプリング
４ｆ  係止窓
４ｇ  カム
５  操作力伝達機構
６  第１回転軸
７  第２回転軸
８  ハンドル
８ｂ  上取付座
８ｃ  下取付座
１０  ユニットベース
１０ｃ  案内溝
１１  ユニットプレート
１２  ガイドプレート
１３  スタッドボルト
１４  逃げ穴
１５  ピン
１６  係止孔
１８  ハンドル取付座
２２  台座部
２３  アーム
２４  ラッチレバー
Ｓ  空間
【図１】
0005544543.tif 000002
【図２】
0005544543.tif 000003
【図３】
0005544543.tif 000004
【図４】
0005544543.tif 000005
【図５】
0005544543.tif 000006
【図６】
0005544543.tif 000007
【図７】
0005544543.tif 000008
【図８】
0005544543.tif 000009
【図９】
0005544543.tif 000010
【図１０】
0005544543.tif 000011
【図１１】
0005544543.tif 000012
【図１２】
0005544543.tif 000013
【図１３】
0005544543.tif 000014